(57)【要約】【課題】  換気経路を水や水蒸気が通過することなく、かつ換気経路部分の強度が高い戸を提供する。【解決手段】  枠体と、枠体に開閉自在に納めた障子と、開閉弁と、通気口カバーと、押圧部材とを備え、枠体の横枠又は障子の横框は、上側部分と、下側部分と、これらを繋ぐ連結壁とを有し、連結壁には、見込方向に貫通する通気口を設けてあって、上側部分と下側部分の間に換気経路を形成してあり、開閉弁は、換気経路の一方側の空間寄りに連結壁から離隔して設けてあり、自重で閉じ方向に回動自在で、換気経路の一方側の空間が負圧になると回動して開放状態となるものであり、通気口カバーは、通気口の周縁部を覆うものであり、押圧部材は、通気口カバーに取り付けてあって、開閉弁を一方側に押圧して常に開放状態とする押圧状態と、開閉弁から離隔する非押圧状態とに切替可能なものであり、押圧状態と非押圧状態のそれぞれにおいて移動を規制するストッパを有する。【選択図】      図１
2014218802.tif 000002
【特許請求の範囲】
【請求項１】
枠体と、枠体に開閉自在に納めた障子と、開閉弁と、通気口カバーと、押圧部材とを備え、枠体の横枠又は障子の横框は、上側部分と、下側部分と、これらを繋ぐ連結壁とを有し、連結壁には、見込方向に貫通する通気口を設けてあって、上側部分と下側部分の間に換気経路を形成してあり、開閉弁は、換気経路の一方側の空間寄りに連結壁から離隔して設けてあり、自重で閉じ方向に回動自在で、換気経路の一方側の空間が負圧になると回動して開放状態となるものであり、通気口カバーは、通気口の周縁部を覆うものであり、押圧部材は、通気口カバーに取り付けてあって、開閉弁を一方側に押圧して常に開放状態とする押圧状態と、開閉弁から離隔する非押圧状態とに切替可能なものであり、押圧状態と非押圧状態のそれぞれにおいて移動を規制するストッパを有することを特徴とする戸。
【発明の詳細な説明】
【技術分野】
【０００１】
本発明は、換気経路を設けた戸に関する。
【背景技術】
【０００２】
浴室と脱衣室を仕切る戸には、換気機能が求められる。従来、特許文献１の発明のように、障子を納める枠体の上枠に換気経路を形成し、換気経路内に開閉弁を設けたものが知られている。この開閉弁は回動自在であり、通常時は垂れ下がった状態で換気経路を閉鎖している。そして浴室の換気扇を駆動すると、浴室内が負圧となることで開閉弁は浴室側に回動し、換気経路が開放されて、浴室の換気が可能となる。
【先行技術文献】
【特許文献】
【０００３】
【特許文献１】特開２０１０−２２２８４６号公報
【発明の概要】
【発明が解決しようとする課題】
【０００４】
しかしながら、特許文献１の発明においては、浴室から開閉弁に至る換気経路内に水や水蒸気の浸入を妨げるような構造はなく、それらが容易に開閉弁まで到達してしまい、さらに開閉弁が脱衣室側に位置しているので、水や水蒸気が開閉弁を超えるとすぐに脱衣室側に入り込んでしまう点が問題であった。また、上枠が、換気経路の上側の第一上枠と、換気経路の下側の第二上枠に分かれており、障子を支持する第二上枠が天井には接しておらず、左右の縦枠のみに固定されるものであるから、強度が低い点も問題であった。
【０００５】
本発明は、上記事情を鑑みたものであり、換気経路を水や水蒸気が通過することなく、かつ換気経路部分の強度が高い戸を提供することを目的とする。
【課題を解決するための手段】
【０００６】
本発明は、枠体と、枠体に開閉自在に納めた障子と、開閉弁と、通気口カバーと、押圧部材とを備え、枠体の横枠又は障子の横框は、上側部分と、下側部分と、これらを繋ぐ連結壁とを有し、連結壁には、見込方向に貫通する通気口を設けてあって、上側部分と下側部分の間に換気経路を形成してあり、開閉弁は、換気経路の一方側の空間寄りに連結壁から離隔して設けてあり、自重で閉じ方向に回動自在で、換気経路の一方側の空間が負圧になると回動して開放状態となるものであり、通気口カバーは、通気口の周縁部を覆うものであり、押圧部材は、通気口カバーに取り付けてあって、開閉弁を一方側に押圧して常に開放状態とする押圧状態と、開閉弁から離隔する非押圧状態とに切替可能なものであり、押圧状態と非押圧状態のそれぞれにおいて移動を規制するストッパを有することを特徴とする。なお、ストッパは、押圧部材や通気口カバーなど、本発明を構成する何れの要素に設けてあってもよい。
【発明の効果】
【０００７】
本発明によれば、換気経路の一方側の空間（浴室）寄りに連結壁から離隔して開閉弁を設けてあって、また換気経路の途中に設けた連結壁が水や水蒸気の浸入を妨げることにより、水や水蒸気が他方側の空間（脱衣室）に入り込まない。また、連結壁により換気経路の上下の上側部分と下側部分とが一体になっているので、強度が高い。さらに、通気口カバーが通気口の小口の色目の違いを覆い隠すので意匠性が良好であり、また、通気口カバーが清掃などの際に通気口の小口のエッジで手を切る怪我を防ぐので安全性も高い。そして、通気口カバーに押圧部材を取り付けるので、横枠又は横框に加工を施す必要がない。
【図面の簡単な説明】
【０００８】
【図１】第一実施形態の換気経路部分の縦断面図である。
【図２】第一実施形態の換気経路部分の脱衣室側正面図である。
【図３】第一実施形態の浴室側正面図である。
【図４】第一実施形態の押圧部材を示し、（ａ）は平面図、（ｂ）は側面図である。
【図５】第一実施形態の押圧部材取付用の通気口カバーを示し、（ａ）は平面図、（ｂ）は脱衣室側正面図である。
【図６】押圧部材を取り付けない通気口カバーを示し、（ａ）は平面図、（ｂ）は脱衣室側正面図である。
【図７】第一実施形態の押圧部材の動作の説明図であり、（ａ）は押圧状態、（ｂ）は非押圧状態である。
【図８】第二実施形態の換気経路部分の縦断面図である。
【図９】第二実施形態の換気経路部分の脱衣室側正面図である。
【図１０】第二実施形態の浴室側正面図である。
【図１１】第二実施形態の押圧部材であり、（ａ）は平面図、（ｂ）は側面図である。
【図１２】第三実施形態の換気経路部分の縦断面図である。
【図１３】第三実施形態の押圧部材の動作の説明図である。
【図１４】第三実施形態の操作部の説明図であり、（ａ）、（ｂ）は押圧状態における正面図及び縦断面図、（ｃ）、（ｄ）は非押圧状態における正面図及び縦断面図である。
【発明を実施するための形態】
【０００９】
以下、本発明の実施の形態を図面に基づいて説明する。本発明の戸の使用場所は特に限定されるものではないが、ここでは浴室と脱衣室を仕切るための浴室戸の場合を示し、上記の一方側を浴室側、他方側を脱衣室側とする。なお、以下において左右方向とは戸を脱衣室側から見た際の左右方向を示すものとする。この戸の第一実施形態は、図３に示すように、枠体１０と、枠体１０に開閉自在に納めた障子２０とを備えており、障子２０が回動自在な開戸である。枠体１０は、アルミニウム製の形材からなるものであり、上下の横枠（上枠１０ａと下枠１０ｂ）と、左右の縦枠１０ｃとを四周枠組みしたものである。
【００１０】
図１に示すように、枠体１０の上枠１０ａは、上側部分５と、下側部分６とを有する。上側部分５の見込方向中央部分の下側面５１と、下側部分６の上側面６１とは、平行であって浴室側に向けて下方に傾斜している。また、両面５１，６１の見込方向中央には、両面５１，６１に対して垂直向きであって両面５１，６１を繋ぐ連結壁７を形成してあり、この連結壁７によって上側部分５と下側部分６とが一体になっている。そして、上側部分５は天井面３０にネジ止めしてあり、下側部分６の下側には、障子２０の上框２０ａが垂直軸周りに回動自在に取り付けてある。そして連結壁７には、見込方向に貫通する通気口７１を設けてあって、上側部分５の下側面５１と下側部分６の上側面６１との間に換気経路Ｃを形成してある。なお、図２（障子は図示省略してある）に示すように、通気口７１は略矩形で左右方向に長く、左右に４つ並んでいる。また、図１に示すように、通気口７１は連結壁７の上下方向中央に設けてあって、通気口７１の上下には、上側部分５の下側面５１及び下側部分６の上側面６１から立ち上がった連結壁７の壁面が存在している。そしてそれぞれの通気口７１には、樹脂製の通気口カバー２ａ，２ｂを取り付けてある。右側端の通気口７１を除いた左側の３つの通気口７１に取り付ける通気口カバー２ａは、図６に示すように、通気口７１に丁度嵌まる環状の被覆部２１と、被覆部２１の脱衣室側に形成した額縁部２２からなり、被覆部２１の左右の両端部にクサビ形の爪部２３を形成してある。脱衣室側から被覆部２１を通気口７１に挿入すると、爪部２３が連結壁７を乗り越え、爪部２３と額縁部２２とで連結壁７を挟み込んで、通気口カバー２ａが通気口７１に固定され、被覆部２１が通気口７１の周縁部の小口を覆う。なお、右側端の通気口７１には、後述の押圧部材３を取り付けるための構造を備える通気口カバー２ｂを取り付けてあり、これについては押圧部材３と併せて説明する。
【００１１】
また、上枠１０ａの浴室側には、カバー材８が取り付けてある。カバー材８は、図１に示すように、上下に延びる垂下片８１と、垂下片８１の上端から脱衣室側へ延びる上端面８２と、上端面８２の脱衣室側端から浴室側下方へ向けて垂下片８１まで延びる補助面８３とを備え、補助面８３には開閉弁１が設けてある。開閉弁１は、左右方向長さが上枠１０ａと略同じであって、左右に長い換気経路Ｃを単一部材で開閉するものであり、断面円形の軸部１１と、軸部１１から延びる面部１２とを有し、補助面８３の脱衣室側端に形成した軸受部８４に軸部１１が回動自在に嵌め込んである。また、上端面８２の見込方向両端には略Ｌ字形で脱衣室側に向けて延びる係合部８５が設けてある。一方、上側部分５の浴室側端部には、二つの係合部８５に対応して、逆向きのＬ字形の被係合部５２が設けてある。また、カバー材８の左右両端には端部キャップ（図示省略）が取り付けてあり、換気経路Ｃの左右端部に位置する左右の縦枠１０ｃの対向する両面には、キャップ受部（図示省略）が取り付けてある。カバー材８を上枠１０ａに取り付ける際には、二つの係合部８５をそれぞれ上側部分５の被係合部５２に係合させ、左右の端部キャップをそれぞれキャップ受部に係合させる。カバー材８を取り付けると、開閉弁１の軸部１１が上側部分５側に位置し、開閉弁１は換気経路Ｃの浴室側寄りの連結壁７から離隔した位置に設けられる。そして開閉弁１の面部１２が自重で垂れ下がり、先端が下側部分６の浴室側面に設けたタイト材６２に当接して、換気経路Ｃを閉鎖する。そして、浴室が負圧になると、開閉弁１が時計回りに回動して換気経路Ｃを開放する。この際、開閉弁１は補助面８３と略平行となり、換気経路Ｃの屈曲部で空気が滞留しないようにガイドの役割を果たす。また、垂下片８１が換気経路Ｃの浴室側出口を下向きに形成しており、浴室内の人に風が直接当たらないようになっている。
【００１２】
そして、図２に示すように、右側端の通気口７１には、他とは異なる構造の通気口カバー２ｂを取り付けてあり、この通気口カバー２ｂに押圧部材３を取り付けてある（以下、この通気口カバーを取付用通気口カバーとよぶ）。図５に示すように、この通気口カバー２ｂは、他の通気口カバー２ａの左右方向中央に、押圧部材３を保持するためのホルダ２４を設けたものである。よって、被覆部２１、額縁部２２及び爪部２３の構成は、他の通気口カバー２ａと同じである。ホルダ２４は、見込方向に延びる断面矩形の筒状のものであって、被覆部２１及び額縁部２２と一体に形成されており、浴室側端は被覆部２１の浴室側端と面一であり、脱衣室側端は額縁部２２よりも脱衣室側に突出している。そしてホルダ２４の左右の側壁の対向する内側面には、見込方向に延びる突条２５を形成してある。突条２５は、ホルダ２４の見込方向中程の、上下方向中央に設けてあり、浴室側端部及び脱衣室側端部において、それぞれ先端に向かって突出幅が大きくなっている。
【００１３】
一方、押圧部材３は、図４に示すように、見込方向に延びる胴部３２と、胴部３２の脱衣室側端に形成した左右に延びる把持部３３からなる。胴部３２は断面矩形であって、取付用通気口カバー２ｂのホルダ２４に丁度嵌まる大きさである。そして、胴部３２の浴室側の約２／３の範囲は、上下方向に貫通する中空構造となっており、下端の左右方向中央に、見込方向に延びる補強板３４を設けてある。また、図４（ａ）に示すように、胴部３２の左右の側壁の見込方向中程には凹部３５を形成してある。凹部３５の見込方向長さは胴部３２の約１／２であり、凹部３５の内側は略全域が中空である。そして、凹部３５の脱衣室側端と浴室側端に形成される直角の段部が、後述のストッパ３１ａ，３１ｂとなる。さらに、凹部３５の見込方向中央には、断面三角形の中間突起３６を形成してある。また、胴部３２の浴室側端は、平面視して先細形状となっている。さらに、図４（ｂ）に示すように、胴部３２は浴室側端部において高さが低くなっており、特に先端部には浴室側に向けて下方に傾斜した傾斜部３７を形成してある。
【００１４】
そして、この押圧部材３を取付用通気口カバー２ｂのホルダ２４に挿入してある。押圧部材３の胴部３２の外寸とホルダ２４の内寸は略同じであるが、胴部３２の浴室側端は先細形状となっているので、挿入しやすくなっている。挿入の際、ホルダ２４内の突条２５が胴部３２の左右の側壁に引っ掛かるが、側壁の内側が中空なので、側壁は内側に撓んで挿入が可能となり、突条２５は凹部３５に納まる。押圧部材３は突条２５が凹部３５に納まる範囲で見込方向に移動可能であり、脱衣室側から把持部３３を持って操作する。押圧部材３を最も浴室側まで押し込むと図７（ａ）の状態となり、突条２５が脱衣室側のストッパ３１ａと中間突起３６の間に嵌まっていて、押圧部材３の見込方向位置が固定されている。この状態の押圧部材３は、図１において実線で表されていて、押圧部材３の浴室側端が開閉弁１を浴室側に押圧して常に換気経路Ｃを開放状態としており、この状態を押圧状態とよぶ。この際、押圧部材３の浴室側端部の高さが低くなっていることで、開閉弁１の軸部１１を回避しており、また、押圧部材３の浴室側端の傾斜部３７が、開放状態の開閉弁１の面部１２と略平行になって広い面で当接するので、開閉弁１を確実に保持できる。なお、押圧状態においては、ホルダ２４の突条２５の脱衣室側端が、押圧部材３の脱衣室側のストッパ３１ａに係合しており、ストッパ３１ａは直角形状なので突条２５がストッパ３１ａを乗り越えることはできないから、それ以上押圧部材３が浴室側に移動することは規制されている。一方、中間突起３６は三角形なので、押圧部材３の胴部３２の側壁が撓むことで（内側が中空なので撓みやすい）突条２５が中間突起３６を乗り越えることができるから、把持部３３を持って力を加えれば押圧部材３を脱衣室側に引くことができる。また、押圧部材３を最も脱衣室側まで引くと図７（ｂ）の状態となり、突条２５が浴室側のストッパ３１ｂと中間突起３６の間に嵌まっていて、押圧部材３の見込方向位置が固定されている。この状態の押圧部材３は、図１において二点鎖線で表されていて、押圧部材３の浴室側端が開閉弁１から離隔して開閉弁１は回動自在となっており（図１（二点鎖線）では自重で垂れ下がって換気経路Ｃを閉鎖している）、この状態を非押圧状態とよぶ。なお、非押圧状態においては、ホルダ２４の突条２５の浴室側端が、押圧部材３の浴室側のストッパ３１ｂに係合しており、ストッパ３１ｂは直角形状なので突条２５がストッパ３１ｂを乗り越えることはできないから、それ以上押圧部材３が脱衣室側に移動することは規制されている。一方、中間突起３６は三角形なので、押圧部材３の胴部３２の側壁が撓むことで（内側が中空なので撓みやすい）突条２５が中間突起３６を乗り越えることができるから、把持部３３を持って力を加えれば押圧部材３を浴室側に押すことができる。なお、突条２５は、見込方向両端部の突出幅が大きく、見込方向中間部の突出幅が小さいので、突条２５の見込方向両端部が中間突起３６を乗り越えて押圧状態と非押圧状態の中間状態になった際に、押圧部材３を見込方向に動かしやすくなっている。このように、押圧部材３を押し引きすることで押圧状態と非押圧状態を切替可能であり、押圧状態では開閉弁１が常に換気経路Ｃを開放した状態となる。一方、非押圧状態では開閉弁１が回動自在であって、通常は自重で垂れ下がって換気経路Ｃを閉鎖した状態となり、浴室が負圧になると回動して換気経路Ｃを開放した状態となる。
【００１５】
このように構成した戸の第一実施形態によれば、換気経路Ｃの浴室寄りに連結壁７から離隔して開閉弁１を設けてあって、開閉弁１から脱衣室まで距離があるので、浴室側から流入する水や水蒸気が開閉弁１を通過しても脱衣室側まで届きにくい。また、換気経路Ｃの途中に設けた連結壁７が水や水蒸気の浸入を妨げる。特に、通気口７１の下側に下側部分６の上側面６１から立ち上がる連結壁７の壁面が存在しているので、確実に止水される。よって、水や水蒸気が脱衣室に入り込まない。また、連結壁７により換気経路Ｃの上下の上側部分５と下側部分６とが一体になっているので、強度が高い。さらに、通気口カバー２ａ，２ｂが通気口７１の小口の色目の違い（金属の切断面なので周囲と色目が異なる）を覆い隠すので意匠性が良好であり、また、通気口カバー２ａ，２ｂが清掃などの際に通気口７１の小口のエッジで手を切る怪我を防ぐので安全性も高い。そして、取付用通気口カバー２ｂに押圧部材３を取り付けるので、上枠１０ａに加工を施す必要がない。また、開閉弁１は左右に長い単一部材のものであるから、左右方向のどの位置で押圧部材３により押圧してもよいので、任意の通気口７１に取付用通気口カバー２ｂ及び押圧部材３を取り付けて適宜操作位置を変更することができ、左右勝手の違いなどにも容易に対応できる。さらに、押圧部材３によって開閉弁１を強制的に開放状態に保持することができるので、２４時間換気にも対応可能である。そして、この押圧部材３はストッパ３１ａ，３１ｂにより所定範囲以上動くことはなく、開閉弁１や機構の破損を防いでいる。また、開閉弁１が浴室側に位置しており、押圧部材３を戸の見込中程に設けることができるので、押圧部材３の脱衣室側への露出が少なく意匠性が良好であるとともに、押圧部材３自体は見えにくいので意匠性を考慮する必要性が小さく、設計の自由度が高い。
【００１６】
次に、本発明の戸の第二実施形態について説明する。第二実施形態は、図１０に示すように、枠体１０と、枠体１０に開閉自在に納めた２枚の障子２０とを備えており、２枚の障子２０が引き違いとなった引戸である。枠体１０は、第一実施形態と同様にアルミニウム製の形材からなるものであり、上下の横枠（上枠１０ａと下枠１０ｂ）と、左右の縦枠１０ｃとを四周枠組みしたものであるが、図８に示すように、２枚の障子２０を納めるため見込幅が長くなっている。見込幅以外の構成は第一実施形態と略同じであり、枠体１０の上枠１０ａは上側部分５と下側部分６とを有していて、下側部分６の下側に、２枚の障子２０の上框２０ａを摺動自在に納めてある。上側部分５の下側面５１と下側部分６の上側面６１の見込方向中央には、両面５１，６１を繋ぐ連結壁７を形成してある。そして連結壁７には、見込方向に貫通する通気口７１を設けてあって、上側部分５の下側面５１と下側部分６の上側面６１との間に換気経路Ｃを形成してある。なお、図９（障子は図示省略してある）に示すように、通気口７１は略矩形で左右方向に長く、左右に９つ並んでいる。そしてそれぞれの通気口７１には、第一実施形態と同じ通気口カバー２ａ，２ｂを取り付けてあり、右側端の通気口７１を除いた左側の８つの通気口７１に取り付けるのはホルダを有さない通気口カバー２ａ（図６）であり、右側端の通気口７１に取り付けるのは取付用通気口カバー２ｂ（図５）である。また、カバー材８及びカバー材８に設けた開閉弁１も、第一実施形態と同じものである。
【００１７】
そして押圧部材３は、図１１に示すように、第一実施形態と同様の構成であって、上枠１０ａの見込幅が長い分だけ、胴部３２がより見込方向に長いものとなっており、胴部３２の脱衣室側端には左右に延びる把持部３３を形成してある。胴部３２は断面矩形であって、取付用通気口カバー２ｂのホルダ２４に丁度嵌まる大きさである。そして、胴部３２の見込方向中程の約１／２の範囲は、上下方向に貫通する中空構造となっており、下端の左右方向中央に、見込方向に延びる補強板３４を設けてある。また、図１１（ａ）に示すように、胴部３２の左右の側壁の見込方向中程には凹部３５を形成してある。凹部３５の見込方向長さは第一実施形態と同じであり、凹部３５の内側は略全域が中空である。そして、凹部３５の脱衣室側端と浴室側端に形成される直角の段部が、ストッパ３１ａ，３１ｂとなる。さらに、凹部３５の見込方向中央には、断面三角形の中間突起３６を形成してあり、脱衣室側と浴室側それぞれのストッパ３１ａ，３１ｂと、中間突起３６との間の距離も第一実施形態と同じである。また、胴部３２の凹部３５より浴室側に、平面視して浴室側に向けて細くなる部分を形成して、ホルダ２４に挿入しやすくしてある。さらに、図１１（ｂ）に示すように、胴部３２は浴室側端部において高さが低くなっており、特に先端部には浴室側に向けて下方に傾斜した傾斜部３７を形成してある。また、胴部３２の下側面の脱衣室側寄りの位置（中空ではない部分）の左右両端には、下側に向けて突出する支持部３８を形成してある。この押圧部材３を取付用通気口カバー２ｂのホルダ２４に挿入すると、第一実施形態の場合と同様に動作して、押圧状態と非押圧状態を切り替えることができる。この際、図８に示すように、支持部３８が下側部分６の上側面６１に当接することで、押圧部材３が下側部分６の上側面６１に対して常に平行となるように支持しており、見込方向に長い押圧部材３がスムーズに摺動するようにしてある。
【００１８】
このように構成した戸の第二実施形態によれば、水や水蒸気が脱衣室に入り込まず、また連結壁７により換気経路Ｃ部分の強度が高く、かつ押圧部材３によって開閉弁１を強制的に開放状態に保持することで２４時間換気にも対応できるものであって、その他、第一実施形態と同様の作用効果を奏する。
【００１９】
次に、本発明の戸の第三実施形態について説明する。第三実施形態は、第一実施形態と押圧部材の構成のみが異なるものであるから、当該部分以外の説明は省略する。第三実施形態においても、４つの通気口７１のうち左側の３つの通気口７１にはホルダを有さない通気口カバー２ａを取り付けてあり、右側端の通気口７１に、取付用通気口カバー２ｃを取り付けてあって、取付用通気口カバー２ｃに押圧部材４を取り付けてある。第三実施形態の取付用通気口カバー２ｃは、第一実施形態のものとは異なり、他の通気口カバー２ａに後述のストッパ４１ａ，４１ｂを形成したものである。押圧部材４は後述のとおり回動自在であるが、ここでは、図１３において実線で示した状態に基づいて説明するものとする。押圧部材４は、図１３に示すように、平面視して略Ｌ字形であって、浴室側に向けて延びる第一腕部４２と、左側（図１３の下側）に向けて延びる第二腕部４３とを有する。第一腕部は、図１２に示すように、高さが低くなっており、先端部には浴室側に向けて下方に傾斜した傾斜部４４を形成してある。そして、第一腕部４２と第二腕部４３の根元側に、回転軸４５を取り付けてある。回転軸４５は、上側部分５の下側面５１及び下側部分６の上側面６１に対して垂直に延びており、上端が、取付用通気口カバー２ｃの上辺の、左右方向中央かつ見込方向中央の位置に固定されている。これにより、押圧部材４は回転軸４５周りに回動自在となっている。さらに、押圧部材４にはねじりコイルバネ４６が内蔵されている。ねじりコイルバネ４６のコイル部分は回転軸４５の上側部分に外挿され、ねじりコイルバネ４６の一方の足は押圧部材４に係合し、他方の足は取付用通気口カバー２ｃの上辺に係合していて、押圧部材４を上面視して時計回りに付勢している。そして、図１３に示すように、取付用通気口カバー２ｃの上辺の、押圧部材４の右側（図１３の上側）に隣接する位置の浴室側端と脱衣室側端には、ストッパ４１ａ，４１ｂを形成してある。ストッパ４１ａ，４１ｂは、下側に向けて突出する円柱形のものである。押圧部材４は回動自在であるが、浴室側のストッパ４１ａにより、第一腕部４２が浴室側を向いた状態（図１３において実線で示した状態）よりも時計回りに回転しないよう規制されている。また、脱衣室側のストッパ４１ｂにより、第二腕部が脱衣室側を向いた状態（図１３において二点鎖線で示した状態）よりも反時計回りに回転しないよう規制されている。
【００２０】
押圧部材４はねじりコイルバネ４６により時計回りに付勢されているが、これを操作するために、第二腕部４３の先端にワイヤ９１を取り付けてある。ワイヤ９１を右側（図１３の上側）に引くと、押圧部材４がねじりコイルバネ４６の付勢力に抗して反時計回りに回転する。ワイヤ９１は、右側の縦枠１０ｃの左側面に取り付けた滑車９２に掛けられていて下向きに延びており、ワイヤ９１の先端は操作部９に接続されている。操作部９は、図１４に示すように、ケース９３と、スライダ９４からなる。なお、図１４（ａ）、（ｃ）は、右側の縦枠１０ｃに取り付けた操作部９を左側から見た正面図であり、図１４（ｂ）、（ｄ）は、操作部９を脱衣室側から見た縦断面図であって、ここでは図１４（ａ）、（ｃ）の手前側を表側とする。ケース９３は、縦長の箱形であって、右側の縦枠１０ｃの左側面の脱衣室側寄りに取り付けてあり、上端が開口している。そしてケース９３の表側面の上下方向中程には、上下に延びる係合溝９５を形成してある。係合溝９５は、下端に溝幅が広い幅広部９５ａを形成してある。また、スライダ９４は、ケース９３内に上下動自在に納めてあり、表側に開口する箱形の受部９６と、受部９６の表側に被せた蓋部９７とを有していて、蓋部９７の上端にワイヤ９１を接続してある。そして、受部９６及び蓋部９７の内部にはバネ９８を設けてあって、バネ９８は受部９６に対して蓋部９７を表側に付勢している。また、蓋部９７の表側には摘み部９９を形成してある。摘み部９９は、基部９９ａと、頂部９９ｂからなり、基部９９ａは、その幅及び上下長さが係合溝９５の幅広部９５ａと略同じである。そして頂部９９ｂは基部９９ａの表側に形成してあり、基部９９ａよりも幅が狭く、係合溝９５の上側部分の溝幅と略同じである。
【００２１】
続いて、このように構成した押圧部材４及び操作部９の動作について説明する。押圧部材４は、ねじりコイルバネ４６により時計回りに付勢されているので、スライダ９４は、常にワイヤ９１で上側に引っ張られる状態である。スライダ９４の摘み部９９を裏側へ押し込むと、図１４（ａ）、（ｂ）に示すように、基部９９ａがケース９３内に納まり、頂部９９ｂが係合溝９５を上端まで摺動して、スライダ９４がケース９３の上端部で固定される。すると、押圧部材４は時計回りに回転して浴室側のストッパ４１ａに当接した状態となる（図１３において実線で示した状態）。このとき、図１２に示すように、押圧部材４の第一腕部４２が開閉弁１を浴室側に押圧して常に換気経路Ｃを開放状態としており、この状態を押圧状態とよぶ。この際、第一腕部４２の高さが低くなっていることで、開閉弁１の軸部１１を回避しており、また、第一腕部４２の傾斜部４４が、開放状態の開閉弁１の面部１２と略平行になって広い面で当接するので、開閉弁１を確実に保持できる。なお、押圧状態においては、押圧部材４の第一腕部４２が浴室側のストッパ４１ａに当接しており、それ以上押圧部材４が時計回りに回転することは規制されている。一方、この状態からスライダ９４の摘み部９９を係合溝９５の下端の幅広部９５ａの位置まで押し下げると、バネ９８の付勢力によって摘み部９９が表側に飛び出し、基部９９ａが幅広部９５ａに納まって、スライダ９４がケース９３の下端部で固定される。すると、押圧部材４はワイヤ９１に引っ張られて、ねじりコイルバネ４６の付勢力に抗して反時計回りに回転し、脱衣室側のストッパ４１ｂに当接した状態となる（図１３において二点鎖線で示した状態）。このとき、押圧部材４の第一腕部４２が開閉弁１から離隔して開閉弁１は回動自在となっており（図１２（二点鎖線）では自重で垂れ下がって換気経路Ｃを閉鎖している）、この状態を非押圧状態とよぶ。なお、非押圧状態においては、押圧部材４の第二腕部４３が脱衣室側のストッパ４１ｂに当接しており、それ以上押圧部材４が反時計回りに回転することは規制されている。このように、操作部９のスライダ９４を上下させることで、押圧部材４を回転させて押圧状態と非押圧状態を切替可能であり、押圧状態では開閉弁１が常に換気経路Ｃを開放した状態となる。一方、非押圧状態では開閉弁１が回動自在であって、通常は自重で垂れ下がって換気経路Ｃを閉鎖した状態となり、浴室が負圧になると回動して換気経路Ｃを開放した状態となる。
【００２２】
このように構成した戸の第三実施形態によれば、第一実施形態と同様に、換気経路Ｃの浴室寄りに連結壁７から離隔して開閉弁１を設けてあって、開閉弁１から脱衣室まで距離があるので、浴室側から流入する水や水蒸気が開閉弁１を通過しても脱衣室側まで届きにくい。また、換気経路Ｃの途中に設けた連結壁７が水や水蒸気の浸入を妨げる。特に、通気口７１の下側に下側部分６の上側面６１から立ち上がる連結壁７の壁面が存在しているので、確実に止水される。よって、水や水蒸気が脱衣室に入り込まない。また、連結壁７により換気経路Ｃの上下の上側部分５と下側部分６とが一体になっているので、強度が高い。さらに、通気口カバー２ａ，２ｃが通気口７１の小口の色目の違い（金属の切断面なので周囲と色目が異なる）を覆い隠すので意匠性が良好であり、また、通気口カバー２ａ，２ｃが清掃などの際に通気口７１の小口のエッジで手を切る怪我を防ぐので安全性も高い。そして、取付用通気口カバー２ｃに押圧部材４を取り付けるので、上枠１０ａに加工を施す必要がない。また、開閉弁１は左右に長い単一部材のものであるから、左右方向のどの位置で押圧部材４により押圧してもよいので、任意の通気口７１に取付用通気口カバー２ｃ及び押圧部材４を取り付けて適宜操作位置を変更することができ、左右勝手の違いなどにも容易に対応できる。さらに、押圧部材４によって開閉弁１を強制的に開放状態に保持することができるので、２４時間換気にも対応可能である。そして、この押圧部材４はストッパ４１ａ，４１ｂにより所定範囲以上動くことはなく、開閉弁１や機構の破損を防いでいる。また、開閉弁１が浴室側に位置しており、押圧部材４を戸の見込中程に設けることができるので、押圧部材４の脱衣室側への露出が少なく意匠性が良好であるとともに、押圧部材４自体は見えにくいので意匠性を考慮する必要性が小さく、設計の自由度が高い。そして、押圧部材４をねじりコイルバネ４６によって付勢してあるので、１本のワイヤ９１で押圧状態と非押圧状態の切替操作を行うことができる。このワイヤ９１は、端部が操作部９のスライダ９４に取り付けてあるので、ワイヤ９１がバタついて邪魔になることもない。また、滑車９２によりワイヤ９１を縦枠１０ｃ側に寄せてあって、ワイヤ９１の先端に取り付けたスライダ９４を上下に動かすだけでよいので、操作が容易である。さらに、押圧部材４を取付用通気口カバー２ｃの上辺に取り付けてあり、またねじりコイルバネ４６のコイル部分が回転軸４５の上側部分に外挿され、ねじりコイルバネ４６の足が取付用通気口カバー２ｃの上辺に係合しているので、取付用通気口カバー２ｃの下辺に滞留する結露水などによって、押圧部材４が固着して動きにくくなったり、ねじりコイルバネ４６が腐食したりする不具合が生じない。
【００２３】
本発明は、上記の実施形態に限定されない。たとえば、換気経路は、枠体の下枠に形成してもよいし、障子の横框（上框又は下框）に形成してもよい。また、開閉弁は、カバー材ではなく上側部分に直接取り付けてあってもよい。さらに、押圧状態において、押圧部材を開閉弁の開度が異なる複数の位置で固定できるようにして、換気量を選択調整できるようにしてもよい。また、操作部は、ワイヤの先端に取り付けるものであって、押圧状態と非押圧状態の２箇所で固定できるものであればどのような構造であってもよい。たとえば、スライダは、受部と蓋部の２部材からなるものではなく、単一部材の裏面に樹脂製のバネを一体成型したものであってもよいし、スライダの摺動方向が水平方向となるような構造であってもよい。さらに、押圧部材の形状によっては、スライダを上げたときに非押圧状態とし、下げたときに押圧状態とすることもできる。ただし、２４時間換気の状態を維持する場合には、上記の実施形態のように、スライダを上げて押圧部材がねじりコイルバネにより回転した状態で押圧状態となる方が望ましい。
【符号の説明】
【００２４】
１  開閉弁
２ｂ，２ｃ  （取付用）通気口カバー
３，４  押圧部材
５  上側部分
６  下側部分
７  連結壁
１０  枠体
１０ａ  上枠（横枠）
２０  障子
２０ａ  上框（横框）
３１ａ，３１ｂ，４１ａ，４１ｂ  ストッパ
７１  通気口
Ｃ  換気経路
【図１】
2014218802.tif 000003
【図２】
2014218802.tif 000004
【図３】
2014218802.tif 000005
【図４】
2014218802.tif 000006
【図５】
2014218802.tif 000007
【図６】
2014218802.tif 000008
【図７】
2014218802.tif 000009
【図８】
2014218802.tif 000010
【図９】
2014218802.tif 000011
【図１０】
2014218802.tif 000012
【図１１】
2014218802.tif 000013
【図１２】
2014218802.tif 000014
【図１３】
2014218802.tif 000015
【図１４】
2014218802.tif 000016